(57)【特許請求の範囲】
【請求項１】
嵌合穴が設けられた外装カバーと、
前記嵌合穴に挿通される嵌合軸が形成され、操作者に押圧される押しボタンと、
前記押しボタンが前記操作者に押圧される際に、前記嵌合軸に押圧される押し位置が形成される押圧スイッチと、
前記押圧スイッチが実装され、前記押圧スイッチが実装される位置に位置決め穴が形成される基板と、
位置決めピンが形成され、前記位置決めピンが前記位置決め穴に挿通されることで前記基板が位置決めされる基板取付け部とを有し、
前記押し位置の中心と前記位置決め穴の中心とが略一致するように、前記押圧スイッチを前記基板に実装することを特徴とする電子機器。
【発明の詳細な説明】
【０００１】
【発明の属する技術分野】
本発明は、例えば、撮像装置などの押圧式スイッチを有する電子機器に関するものである。
【０００２】
【従来の技術】
従来の電子機器において、例えばデジタルカメラなどにおいては、制御部に撮像開始などを指示する操作部材としてのスイッチ部に、扁平型の押圧式スイッチが採用されている場合がある。
【０００３】
図５は、従来のデジタルカメラのレリーズボタンの分解図である。
【０００４】
図５において、デジタルカメラ本体２１の外装カバー２２にボタン穴２２ａを設け、このボタン穴２２ａにレリーズボタン２３を取り付ける。操作者はこの取り付けられたレリーズボタン２３をプッシュすることにより、ボタン足２３ａが基板２４に実装されたスイッチ２５を押圧して制御信号が出力されることになる。
【０００５】
図６は、スイッチ２５の断面図である。２５ａはベース部で、モールド材を用いて電気絶縁性を持たせている。２５ｂはグランド端子、２５ｃは第１端子であり、それぞれベース部２５ａの外部まで導電体が延びている。また、２５ｄは第２端子で、これは不図示であるがグランド端子２５ｂおよび第１端子２５ｃと同様にベース部２５ａの外部まで導電体が延びている。バネ板２５ｅはある金属製の薄板で構成されている。クリック板２５ｆは、弾力性を持たせるために金属製の薄板をドーム状に形成させている。保護シート２５ｇは絶縁性のゴム膜からなる。カバー部２５ｈは、中央にスイッチ穴が設けられている。
【０００６】
図６のスイッチ２５の状態において、グランド端子２５ｂ、第１端子２５ｃ、第２端子２５ｄはそれぞれ絶縁されている。この状態において操作者の操作によってレリーズボタン２３が矢印方向に押し込まれると、図７に示すように、バネ板２５ｅがたわみ、クリック板２５fに接触し、これを介してグランド端子２５ｂと第１端子２５ｃと接触する（第１のストローク状態）。
【０００７】
図８は、図７のスイッチ２５の状態から、さらにレリーズボタン２３が押し込まれたときの状態（第２のストローク状態）を示す図である。図８の状態では、バネ板２５ｅとクリック板２５ｆが接触したままさらにクリック板２５ｆのドーム形状が反転して第２端子２５ｄと接触するので、グランド端子２５ｂ、第１端子２５ｃ、第２端子２５ｄが全て導通している。図８の状態までレリーズボタン２３が押し込まれると、これ以上レリーズボタン２３を押圧しても押し込まれることなく図８の状態を維持する構成となっている。
【０００８】
なお、図７の第１のストローク状態ではデジタルカメラ本体２１の測距動作及び測光動作などの撮影準備動作の開始が指示され、図８の第２のストローク状態では第２の撮像動作の開始が指示される。
【０００９】
【発明が解決しようとする課題】
ところで、この押圧式スイッチには設定上重要な留意点がある。すなわち、このスイッチ２５は内部に使用しているクリック板２５ｆのドーム形状がいわゆる「おちょこ」のように反転する作用を利用しているが、クリック板２５ｆを押すボタン足２３ａの位置がクリック板中央から外れていると、レリーズボタン２３を最終状態からさらに加圧したときにこのドーム形状が加圧によって変形し、正常な動作ができなくなることである。したがって、スイッチの中心位置とボタンの中心位置を精度よく合わせることが大切で、そのため、従来は基板２４の位置調整機構を設けたり、基板２４の外周部に位置決め部を設定したりする必要があった。
【００１０】
本発明は、このような位置決め機構の簡略化・精密化を目的としたものである。
【００１１】
【課題を解決するための手段】
本発明の電子機器は、嵌合穴が設けられた外装カバーと、前記嵌合穴に挿通される嵌合軸が形成され、操作者に押圧される押しボタンと、前記押しボタンが前記操作者に押圧される際に、前記嵌合軸に押圧される押し位置が形成される押圧スイッチと、前記押圧スイッチが実装され、前記押圧スイッチが実装される位置に位置決め穴が形成される基板と、位置決めピンが形成され、前記位置決めピンが前記位置決め穴に挿通されることで前記基板が位置決めされる基板取付け部とを有し、前記押し位置の中心と前記位置決め穴の中心とが略一致するように、前記押圧スイッチを前記基板に実装することを特徴とする。
【００１２】
【発明の実施の形態】
以下、添付の図面に沿って本発明の実施の形態を説明する。
【００１３】
図１は、本実施の形態の電子機器としてのデジタルカメラの斜視図である。デジタルカメラ１は、グリップ２、撮像動作の開始を指示するレリーズボタン３、撮影レンズ４、各種設定を行なう操作ボタン５、操作内容を表示する表示部６、内部に画像を記録する記録媒体を収納する背面カバーによって構成される。
【００１４】
図２は、レリーズボタン３周辺の断面図であり、図３は、レリーズボタン３周辺の分解断面図である。
【００１５】
図２，３において、外装カバー８は撮影者がグリップ２を保持したとき、ちょうど人差し指の先端に直径１０ｍｍ程度のレリーズ座が設けられ、さらにその中央にレリーズ穴8ｂが設けられている。レリーズ穴８ｂは、直径２ｍｍ、奥行き２ｍｍ程度の貫通穴である。このレリーズ穴８ｂにレリーズボタン３が取り付けられる。
【００１６】
レリーズボタン３は、ボタン頭部３ａの直径をレリーズ座８ａより０．２ｍｍ程度小さくし、かつボタン足３ｂの直径をレリーズ穴８ｂより３０μｍ程度微小に小さくして隙間が確保できるように設定されている。ボタン足３ｂの先端は球状に丸くなっており、先端近くにはキー溝３ｃが設けられている。
【００１７】
レリーズバネ９は、レリーズボタン３を後述のレリーズスイッチ１３から離れる方向に付勢する。キーワッシャ１０は、レリーズボタン３がレリーズバネ９に付勢されることによって外装カバー８から外れてしまうことを防止するためのものであり、レリーズボタン３のキー溝３ｃに取付けられている。
【００１８】
基板取付け部１１はカメラ本体１の内部に格納される。この基板取付部１１は、電池収納部や主要ユニットなど、構造体の一部を兼ねて形成されている。この基板取付け部１１には、外装カバー８のレリーズ穴８ｂと中心が一致する場所に、直径１．５ｍｍ程度の位置決めピン１１ａが設けてある。また、ビス下穴１１ｂおよび１１ｃは、呼び径Ｍ１．７のビスが締め付けられる様に設定されている。
【００１９】
レリーズ基板１２は、厚さ１ｍｍ程度のガラスエポキシ材をベースとしたハードタイプのプリント基板である。レリーズ基板１２の表面には、レリーズスイッチ１３が実装されている。図４は、レリーズ基板１２とレリーズスイッチ１３を分解した図である。
【００２０】
レリーズ基板１２には、レリーズスイッチ１３を実装する位置に直径１．５ｍｍ程度の位置決め穴１２ａが開けてある。位置決め穴１２ａの直径は、前述した基板取付け部１１の位置決めピン１１ａの直径に対して３０μｍ程度微少に大きくして嵌合できる様に設定されている。
【００２１】
この位置決め穴１２ａを中心にして、第１パターン１２ｂ、第２パターン１２ｃ、グランドパターン１２ｄおよび１２ｅがある。またレリーズスイッチ１３は従来例で説明した通りの２段押圧式スイッチである。レリーズスイッチ１３は、上面の中心に押し位置１３ａがあり、下面には第１端子１３ｂ、第２端子１３ｃ、グランド端子１３ｄ，１３ｅがある。レリーズ基板１２にこのレリーズスイッチ１３を実装する場合、この位置決め穴１２ａの中心と押し位置１３ａの中心が一致する様にしてレリーズスイッチ１３がレリーズ基板１２に実装され、第１端子１３ｂと第１パターン１２ｂ、第２端子１３ｃと第２パターン１２ｃ 、グランド端子１３ｄとグランドパターン１２ｄ、グランド端子１３ｅとグランドパターン１２ｅがそれぞれ半田付けされる。
【００２２】
また、ビス締め穴１２ｆ、１２ｇは、直径φ１．９の貫通穴である。ここを貫通させて、呼び径Ｍ１．７のビス１４，１５をそれぞれビス下穴１１ｂ，１１ｃに締め付けてレリーズ基板１２を基板取付け部１１に固定させている。
【００２３】
なお、カメラの組み立て工程においては、レリーズ基板１２の位置決め穴１２ａを基板取付け部１１の位置決めピン１１ａに嵌合させるだけの作業で、簡単にレリーズスイッチ１３とレリーズボタン３の位置を精度よく一致させることが可能である。そして、その後レリーズ基板１２をビス１４，１５にて基板取付け部１１に固定させる際にレリーズ基板１２が位置決め穴１２ａを中心に回転ズレを生じても、レリーズスイッチ１３の中心位置が変動することはなく、位置精度を維持することが可能である。そして、外装カバー８を所定の位置に取付けるだけで、レリーズボタン３とレリーズスイッチ１３の中心線を精度良く一致させることができる。そして、レリーズ操作後は、レリーズバネ９の付勢によりレリーズボタン３が離れるので、操作回数の多いレリーズスイッチ１３のクリックバネに余計な負荷がかからなくて済むため、耐久性や信頼性を確保することができる。
【００２４】
なお、上述した実施の形態において、デジタルカメラなどの撮像装置のレリーズボタンに用いられる２段式の押圧スイッチの形態を説明したが、それ以外の各スイッチ部分の１段式の押しスイッチ部分にも、同様の構成が可能である。もちろん、撮像装置以外の各種電子機器においても適用可能なことは言うまでもない。
【００２５】
【発明の効果】
以上説明したように、本発明によれば、押圧スイッチが実装された基板を電子機器内部の構造体に固定するだけで、押圧スイッチの位置を電子機器に対して精度良く取付けることが可能となる。
【図面の簡単な説明】
【図１】本願発明の実施の形態におけるデジタルカメラの斜視図。
【図２】本願発明の実施の形態におけるレリーズボタン付近の断面図。
【図３】本願発明の実施の形態におけるレリーズボタン３周辺の分解断面図。
【図４】本願発明の実施の形態におけるレリーズ基板１２とレリーズスイッチ１３と分解図。
【図５】レリーズボタンの分解斜視図。
【図６】レリーズボタン付近の断面図。
【図７】レリーズボタン付近の断面図。
【図８】レリーズボタン付近の断面図。
【符号の説明】
３  レリーズボタン
１１  基板取付部
１２  レリーズ基板
１３  レリーズスイッチ
【図１】
0004717243.tif 000002
【図２】
0004717243.tif 000003
【図３】
0004717243.tif 000004
【図４】
0004717243.tif 000005
【図５】
0004717243.tif 000006
【図６】
0004717243.tif 000007
【図７】
0004717243.tif 000008
【図８】
0004717243.tif 000009